(57)【要約】      （修正有）【課題】ワイヤハーネス分岐部分の保護構造のコストダウンを図る。【解決手段】Ｔ字状分岐部の、コルゲートチューブ１２Ａ〜１２Ｃで外装されない電線露出部１３を保護カバー２０で被覆している。保護カバーはＴ字状連結部２３と、３本のタイバンド部４０と、これらタイバンド部の間に設けるシート部とを備え、Ｔ字状連結部２１の横軸２３両端に設けたバンド係止部２５Ａ、２５Ｂから幹線用バンド部２９Ａ、２９Ｂを延在させ、幹線Ｗ１の分岐部両側のコルゲートチューブの外周面に巻きつけて係止部で係止する一方、縦軸２２先端に設けたバンド係止部から支線用バンド部２９Ｃを延在させ、支線Ｗ２のコルゲートチューブの外周面に巻きつけて係止部２５Ｃで係止しており、かつ、３本のバンド部の巻き付けにより、縦軸と横軸の間に設けた第一シート３１と、横軸と幹線用バンド部の間に設けた第二シート３５を電線露出部に巻きつけ被覆する。【選択図】図１
2007306760.tif 000002
【特許請求の範囲】
【請求項１】
ワイヤハーネスの幹線から支線がＴ字状に分岐し、該分岐部を挟む幹線の両側およびシ支線をチューブに通して外装し、あるいはテープ巻きで外装しており、これら３方の外装材に囲まれた前記Ｔ字状の分岐位置に露出する前記幹線および支線の電線群を樹脂成形品からなる保護カバーで被覆しており、
前記保護カバーは、Ｔ字状連結部と、３本のタイバンド部と、これらタイバンド部の間に設けるシート部とを備え、
前記Ｔ字状連結部の３箇所の各先端に夫々前記タイバンド部の係止部を設けていると共に、前記Ｔ字状連結部の横軸両端の係止部からは幹線用バンド部を延在させ、幹線の両側の前記外装材の外周面に巻きつけて前記係止部で係止する一方、縦軸先端の前記係止部からは支線用バンド部を延在させ、支線の外装材の外周面に巻きつけて前記係止部で係止しており、かつ、前記縦軸と横軸の間に第一の前記シート部を設け、前記横軸両端の幹線用バンド部の間に第二の前記シート部を設け、前記３本のバンド部を幹線および支線に巻き付け状態で前記第一、第二のシート部が前記電線露出部を被覆していることを特徴とするワイヤハーネス分岐部の保護構造。
【請求項２】
前記ワイヤハーネスの幹線および支線に外装しているチューブがコルゲートチューブである請求項１に記載のワイヤハーネス分岐部の保護構造。
【請求項３】
前記第一のシート部は、前記Ｔ字状連結部のＴ字連結点を頂点として連続する前記縦軸と前記横軸を二辺とする三角形状シート部を、前記縦軸を挟んで左右一対に設けてなる請求項１または請求項２に記載のワイヤハーネス分岐部の保護構造。
【請求項４】
前記左右一対の三角形状シート部の一方には、前記支線用バンド部に沿って設けられる帯状シート部を連続一体に設け、該支線用バンド部の巻き付けで前記帯状シート部を支線の分岐根元に巻きつけている請求項３に記載のワイヤハーネス分岐部の保護構造。
【請求項５】
前記第二のシート部には、前記幹線用バンド部を前記幹線のコルゲートチューブの外周面に巻きつけたときに前記支線のコルゲートチューブに外嵌する円弧状の凹部を設けている請求項２乃至請求項４のいずれか１項に記載のワイヤハーネス分岐部分の保護構造。
【発明の詳細な説明】
【技術分野】
【０００１】
本発明は、ワイヤハーネス分岐部の保護構造に関し、特に、幹線と支線共にコルゲートチューブを外装したワイヤハーネスのＴ字分岐部に露出する電線群を確実に被覆保護するものである。
【背景技術】
【０００２】
自動車に配索されるワイヤハーネスは、所要位置で幹線から支線が分岐され、車両に設置されている各電気機器に接続されている。
自動車に配索するワイヤハーネスは、ワイヤハーネスを構成する電線群を集束すると共に他の車載部品等から保護するために、チューブに内に通したり、テープ巻きしている。
従来、ワイヤハーネスは電線群はテープ巻きしてを集束している場合が多いが、テープ巻きは熟練を有すると共に作業手数がかかることより、近時、合成樹脂製で所要の強度を有すると共に、谷部と山部とが軸線方向に交互に設けられて屈曲性に富んだコルゲートチューブが外装されることが多い。
【０００３】
このようにコルゲートチューブを用いると、幹線から支線が分岐するＴ字状の分岐位置では、分岐位置の両側の幹線を夫々通す両側のコルゲートチューブ端と支線を通すコルゲートチューブ端に挟まれた分岐部では電線群が露出することとなる。よって、この分岐部に露出する電線群を外装するためにＴ字状分岐部にはプロテクタを取り付けることが必要となる。
【０００４】
この種のプロテクタとしては、例えば、図５に示すようなＴ字状分岐部用のプロテクタ１が知られている。該プロテクタ１は、Ｔ字管を半割りしてヒンジ部２を介して連結した左右一対の半割り体３、４から構成され、半割り体３、４は、それぞれ幹線部３ａ、４ａと分岐線部３ｂ、４ｂからなり、幹線部３ａ、４ａの両端部と分岐線部３ｂ、４ｂの先端部の内周には、コルゲートチューブの谷部に嵌合する複数のリブ５を備えている。また、幹線部３ａ、４ａの開閉端には、相対向する位置に係止爪６ａと被係止部６ｂを設け、分岐線部３ｂ、４ｂの開閉端にも、相対向する位置に係止爪７ａ、と被係止部７ｂを設け、左右の半割り体３、４を閉じて重ね合わせたときに互いにロック結合している。（特開平９−２９４３２０号公報参照）
【０００５】
しかしながら、前記プロテクタは、ヒンジ部２、リブ５、係止爪６ａ、７ａ、被係止部６ｂ、７ｂなどを備えた複雑な形状となり、材料費、成型用金型費が高く、コスト高となる点に問題がある。さらに、幹線および支線サイズに対応させる必要があり、サイズが大きく変化する毎に対応したサイズのプロテクタを設ける必要がある。
【０００６】
【特許文献１】特開平９−２９４３２０号公報
【発明の開示】
【発明が解決しようとする課題】
【０００７】
本発明は前記問題に鑑みてなされたもので、安価で、且つ、ワイヤハーネスの幹線および支線の径が大きく相違しても適用可能で汎用性を有するなワイヤハーネス分岐部分の保護構造の提供を課題としている。
【課題を解決するための手段】
【０００８】
前記課題を解決するために、本発明は、ワイヤハーネスの幹線から支線がＴ字状に分岐し、該分岐部を挟む幹線の両側およびシ支線をチューブに通して外装し、あるいはテープ巻きで外装しており、これら３方の外装材に囲まれた前記Ｔ字状の分岐位置に露出する前記幹線および支線の電線群を樹脂成形品からなる保護カバーで被覆しており、
前記保護カバーは、Ｔ字状連結部と、３本のタイバンド部と、これらタイバンド部の間に設けるシート部とを備え、
前記Ｔ字状連結部の３箇所の各先端に夫々前記タイバンド部の係止部を設けていると共に、前記Ｔ字状連結部の横軸両端の係止部からは幹線用バンド部を延在させ、幹線の両側の前記外装材の外周面に巻きつけて前記係止部で係止する一方、縦軸先端の前記係止部からは支線用バンド部を延在させ、支線の外装材の外周面に巻きつけて前記係止部で係止しており、かつ、前記縦軸と横軸の間に第一の前記シート部を設け、前記横軸両端の幹線用バンド部の間に第二の前記シート部を設け、前記３本のバンド部を幹線および支線に巻き付け状態で前記第一、第二のシート部が前記電線露出部を被覆していることを特徴とするワイヤハーネス分岐部の保護構造を提供している。
【０００９】
前記保護構造によれば、保護カバーのＴ字状連結部と３箇所のタイバンド部とにより分岐部を固定することができると共に、前記第一、第二のシート部によって、コルゲートチューブの分断部から露出する電線群を被覆し、外部干渉から保護することができる。
また、コルゲートチューブの凹部に嵌合させるリブや、ヒンジ、ロックなどの複雑な構造を持たず、形状がシンプルであるため、成型金型費を安く抑えることができる。さらに、前記第一、第二のシート材料としてポリプロピレン等を好適に用いることができ、保護カバーの材料費も安く押さえることができる。従って、従来より安価なワイヤハーネス分岐部分の保護構造を提供できる。
【００１０】
前記ワイヤハーネスの幹線および支線に外装しているチューブが、コルゲートチューブである場合に、前記保護カバーを用いてワイヤハーネスのＴ字状分岐部を保護することが好ましい。
この場合、保護カバーのタイバンド部をコルゲートチューブの凹部に嵌合させて締結することで、コルゲートチューブに対して保護カバーを確実に位置決めすることができる。
【００１１】
前記保護カバーの第一のシート部は、前記Ｔ字状連結部のＴ字連結点を頂点として連続する前記縦軸と前記横軸を二辺とする三角形状シート部を、前記縦軸を挟んで左右一対に設けている。
このように第一のシート部を三角形状シート部とすることにより、前記第二のシート部では被覆できない電線露出箇所を、必要最小の面積のシートで被覆することができ、材料コストを抑制できる。
【００１２】
前記左右一対の三角形状シート部の一方には、前記支線用バンド部に沿って設けられる帯状シート部を連続一体に設け、該支線用バンド部の巻き付けで前記帯状シート部を支線の分岐根元に巻きつけてもよい。
このように帯状シート部を設けることにより、支線の分岐根元全周を被覆できるため、支線のコルゲートチューブが分岐根元から多少ズリ下がっても、支線電線群の露出を防止できる。
【００１３】
前記第二のシート部には、前記幹線用バンド部を前記幹線のコルゲートチューブの外周面に巻きつけたときに前記支線のコルゲートチューブに外嵌する円弧状の凹部を設けている。  これにより、第二のシート部を幹線外周に沿って一周巻き付けすることができ、電線群の露出をより確実に防止できる。
【００１４】
なお、本発明はワイヤハーネスのＴ字状分岐部分のみでなく、十字状分岐部分の保護構造にも適用可能である。
さらに、ワイヤハーネスの幹線及び支線を丸チューブで外装して分岐部に電線群が露出している場合、さらに、幹線および支線をテープ巻きで外装して分岐部に電線群が露出している場合にも、適用可能である。
【発明の効果】
【００１５】
上述したように、本発明によれば、ワイヤハーネス分岐部分における電線露出部を、安価な保護カバーを用いて被覆し、保護できるため、ワイヤハーネス製造コストを削減することができる。
【発明を実施するための最良の形態】
【００１６】
以下、本発明の実施形態を図面を参照して説明する。いずれの実施形態においても、ワイヤハーネスの幹線Ｗ１から支線Ｗ２がＴ字状に分岐しているＴ字状分岐部に対して本発明を適用している。
【００１７】
また、前記分岐部を挟んで幹線Ｗ１の両側の電線群１０Ａ、１０Ｂにコルゲートチューブ１２Ａ、１２Ｂを外装していると共に、支線Ｗ２の電線群１０Ｃにもコルゲートチューブ１２Ｃを分岐部根元まで外装しているが、分岐部中央は、これら３方のコルゲートチューブ１２Ａ〜１２Ｃの分断部であり、該コルゲートチューブ１２Ａ〜１２Ｃで外装されていない電線露出部１３となっている。
【００１８】
図１乃至図３は、本発明の第１実施形態に係るワイヤハーネス分岐部分の保護構造を示し、前記Ｔ字状分岐部の電線露出部１３を保護カバー２０で被覆している。該保護カバー２０はポリプロピレン等からなる樹脂成形品で、Ｔ字状連結部２１と、３本のタイバンド部４０（４０Ａ、４０Ｂ、４０Ｃ）と第一シート部３１、第二シート部３５を一体的に備えている。
【００１９】
前記保護カバー２０は、図１および図２に示すように、縦軸２２と横軸２３とからなるＴ字状連結部２１の三箇所の先端に、タイバンド４０Ａ、４０Ｂ、４０Ｃのボックス形状のバンド係止部２５Ａ〜２５Ｃをそれぞれ設け、該バンド係止部２５Ａ〜２５Ｃの下面２６より、幹線用バンド部２９Ａ、２９Ｂと支線用バンド部２９Ｃをそれぞれ延出している。
【００２０】
詳しくは、幹線用バンド２９Ａ、２９Ｂは、Ｔ字状連結部２１の横軸２３の両端のバンド係止部２５Ａ、２５Ｂより縦軸２２と反対方向に延出され、支線用バンド２９Ｃは、縦軸２２の先端のバンド係止部２５Ｃより横軸２３と平行方向に延出している。
これらバンド部２９Ａ〜２９Ｃの外面側（巻き付け面の反対側）には、Ｖ字形状の係止溝３０Ａ〜３０Ｃを長さ方向に連続して断面鋸形状に形成している。
【００２１】
前記Ｔ字状連結部２１の縦軸２２と横軸２３の間には、縦軸２２を挟んで左右対称に配置された一対の三角形状シート部３２、３３からなる第一シート部３１を設けている。
詳しくは、前記三角形状シート部３２、３３は、図１に示すように、Ｔ字状連結部２１のＴ字連結点２４を頂点として連続する縦軸２２と横軸２３を二辺とする三角形状よりなり、該二辺縁３２ａ、３２ｂ、３３ａ、３３ｂで前記縦軸２２および横軸２３の側面にそれぞれ一体固定され、他の斜辺縁３２ｃ、３３ｃは自由端としている。
【００２２】
前記Ｔ字状連結部２１の横軸２３と前記幹線用バンド部２９Ａ、２９Ｂの間には略四角形状の第二シート部３５を設けている。
詳しくは、第二シート部３５は、横軸２３と幹線用バンド２９Ａ、２９Ｂに沿う三辺縁３５ａ、３５ｂ、３５ｃで、それぞれ横軸２３と幹線用バンド２９Ａ、２９Ｂの側面に一体固定され、バンド巻き付け方向先端側の一辺縁３５ｄは自由端としている。この自由端の一辺縁３５ｄの中央部には、後述するように幹線用バンド部２９Ａ、２９Ｂを幹線Ｗ１のコルゲートチューブ１２Ａ、１２Ｂの外周面に巻きつけたときに、支線Ｗ２用のコルゲートチューブ１２Ｃに外嵌する円弧形状の凹部３６を設けている。
【００２３】
前記保護カバー２０を前記Ｔ字状分岐部に取り付けるときは、図１に示すように、まず、前記Ｔ字状連結部２１の横軸２３を幹線Ｗ１に、縦軸２２を支線Ｗ２に沿わせ、Ｔ字連結点２４を分岐位置の真上に位置させて保護カバー２０を載置する。この状態で、図３（Ａ）に示すように、幹線用バンド部２９Ａ、２９Ｂを、分岐部両側の幹線電線群１０Ａ、１０Ｂのコルゲートチューブ１２Ａ、１２Ｂの外周面にそれぞれ巻き付け、その先端をバンド係止部２５Ａ、２５Ｂのバンド係止穴２７Ａ、２７Ｂに挿入し、該バンド係止部２５Ａ、２５Ｂ内に突設したバンド係止片２８Ａ、２８Ｂをバンド部２９Ａ、２９Ｂの前記係止溝３０Ａ、３０Ｂに係合させて、所要位置で係止する。
このとき、前記第二シート部３５は幹線用バンド部２９Ａ、２９Ｂと共に幹線Ｗ１に巻きつけられ、かつ、支線Ｗ２の突出部では、図３（Ｂ）に示すように、円弧状の前記凹部３６が該支線Ｗ２のコルゲートチューブ１２Ｃの外周に沿うため、該第二シート部３５は、幹線Ｗ１の電線露出部１３に一周巻き付けされる。
【００２４】
次に、支線用バンド部２９Ｃを支線電線群１０Ｃのコルゲートチューブ１２Ｃの外周に巻き付け、その先端をバンド係止部２５Ｃのバンド係止穴２７Ｃに挿入し、該バンド係止部２５Ｃ内に突設したバンド係止片２８Ｃをバンド部２９Ｃの前記係止溝３０Ｃに係合させて、所要位置で係止する。
【００２５】
このように、前記保護カバー２０を用いると、Ｔ字状連結部２１によってＴ字分岐部を固定することができると共に、３本のタイバンド部のバンド部２９Ａ〜２９Ｃによってコルゲートチューブ１２Ａ〜１２Ｃを抜け止めでき、かつ、コルゲートチューブ１２Ａ〜１２Ｃによって被覆されない分岐部中央の電線露出部１３を、前記第一シート部３１と前記第二シート部３５とで被覆し保護することができる。
詳しくは、図３（Ａ）（Ｂ）に示すように、電線露出部１３のうち、大部分を前記第二シート部３５で覆うと共に、該第二シート部３５の前記凹部３６によって露出したままとなる、前記横軸２３より支線Ｗ２側の上面を第一シート部３１でカバーできる。
【００２６】
また、前記保護カバー２０は、ヒンジ構造、ロック構造、リブ構造などがなく、シンプルな形状よりなるため、金型費も材料費も抑えることができ、製造コストを削減できる
【００２７】
図４は本発明の第二実施形態を示し、前記保護カバー２０の前記第一シート部３１に帯状シート部３４を備えている。
即ち、支線用バンド部２９ＣとＴ字状連結部２１の縦軸２２との間に、該バンド部２９Ｃに沿った帯状シート部３４を設け、該帯状シート部３４と、前記左右一対の三角形状シート部３２、３３とで第一シート部３１を構成している。
【００２８】
前記帯状シート３４部は、支線用バンド部２９Ｃに沿う一辺縁３４ａで、該支線用バンド部２９Ｃの側面に一体固定されると共に、前記左右一対の三角形状シート部３２、３３のうち、支線用バンド部２９Ｃの突出側の三角形状シート部３２と、前記斜辺３２ｃで連続一体化し、一枚のシートを構成している。
【００２９】
本実施形態においては、支線用バンド部２９Ｃが支線Ｗ２のコルゲートチューブ１２Ｃの外周に巻き付けられることにより、前記帯状シート部３４がコルゲートチューブ１２Ｃの分岐根元の全周に巻き付けられた状態となる。従って、支線用コルゲートチューブ１２Ｃのズリ下がり等が生じた場合でも、該帯状シート部３４を含む第一シート部３１によって、支線電線群１０Ｃが分岐根元から外部に露出することを防止できる。
【図面の簡単な説明】
【００３０】
【図１】本発明の第一実施形態に係るワイヤハーネス分岐部分の保護構造を示す平面図である。
【図２】保護カバーを示す斜視図である。
【図３】ワイヤハーネス分岐部分に保護カバーを取り付けた状態を示し、（Ａ）は平面図、（Ｂ）は（Ａ）の（Ｂ）−（Ｂ）線断面図である。
【図４】本発明の第二実施形態に係るワイヤハーネス分岐部分の保護構造を示す平面図である。
【図５】従来例を示す図である。
【符号の説明】
【００３１】
Ｗ１  幹線
Ｗ２  支線
１０Ａ、１０Ｂ  幹線電線群
１０Ｃ  支線電線群
１２Ａ〜１２Ｃ  コルゲートチューブ
１３  電線露出部
２０  保護カバー
２１  Ｔ字状連結部
２２  縦軸
２３  横軸
２５Ａ〜２５Ｃ  バンド係止部
２９Ａ、２９Ｂ  幹線用バンド部
２９Ｃ  支線用バンド部
３１  第一シート部
３２、３３  三角形状シート部
３５  第二シート部
４０（４０Ａ、４０Ｂ、４０Ｃ）  タイバンド
【図１】
2007306760.tif 000003
【図２】
2007306760.tif 000004
【図３】
2007306760.tif 000005
【図４】
2007306760.tif 000006
【図５】
2007306760.tif 000007